(57)【要約】【課題】二色成形時に一体連結部のヒンジ付近から樹脂漏れが生じ難い合成樹脂成形品及びその成形方法を提供することである。【解決手段】部材本体２と頂壁３とを有する一次成形の合成樹脂成形品１と、閉状態にて該頂壁３を閉塞する上蓋５と、該上蓋５を該部材本体２に対して開閉回動自在に連結するヒンジ６と、を有する二次成形の合成樹脂成形品８において、該ヒンジ６の端部が、該頂壁３の外端縁の少なくとも一部に凹んだ縁段部７の内側溝部である縁段溝部７ａにて一体連結し、該部材本体２及び該上蓋５が該ヒンジ６を介した一体成形物であることを特徴とする合成樹脂成形品及びその成形方法。【選択図】図３
2015193166.tif 000002
【特許請求の範囲】
【請求項１】
部材本体（２）と頂壁（３）とを有する一次成形の合成樹脂成形品（１）であって、
該頂壁（３）の外端縁の少なくとも一部に凹んだ縁段部（７）が形成されており、
該縁段部（７）は、内側に溝部である縁段溝部（７ａ）と、外側に側壁となる縁段側壁（７ｂ）を有することを特徴とする合成樹脂成形品。
【請求項２】
前記縁段部（７）は、更に、中央部に縁段中央部（７ｃ）を有し、該縁段中央部（７ｃ）の両端部内側には凹んだ縁段中央凹部（７ｄ）を有する請求項１に記載の合成樹脂成形品。
【請求項３】
部材本体（２）と頂壁（３）とを有する一次成形の合成樹脂成形品（１）と、
閉状態にて該頂壁（３）を閉塞する上蓋（５）と、
該上蓋（５）を該部材本体（２）に対して開閉回動自在に連結するヒンジ（６）と、
を有する二次成形の合成樹脂成形品（８）において、
該ヒンジ（６）の端部が、該頂壁（３）の外端縁の少なくとも一部に凹んだ縁段部（７）の内側溝部である縁段溝部（７ａ）にて一体連結し、
該部材本体（２）及び該上蓋（５）が該ヒンジ（６）を介した一体成形物であることを特徴とする合成樹脂成形品。
【請求項４】
前記ヒンジ（６）の端部は、更に、前記縁段部（７）の中央部である縁段中央部（７ｃ）の両端部内側の縁段中央凹部（７ｄ）でも一体連結している請求項３に記載の合成樹脂成形品。
【請求項５】
前記部材本体（２）と前記上蓋（５）とを二色成形にて形成してなる請求項３又は４に記載の合成樹脂成形品。
【請求項６】
部材本体（２）と頂壁（３）とを有する一次成形品となる合成樹脂成形品（１）と、
閉状態にて該頂壁（３）を閉塞する上蓋（５）と、
該上蓋（５）を該部材本体（２）に対して開閉回動自在に連結するヒンジ（６）と、
を有する合成樹脂成形品（８）の製造方法において、
該頂壁（３）の外端縁に少なくとも一部に凹んだ縁段部（７）と、該縁段部（７）の内側に溝部となる縁段溝部（７ａ）と、外側に側壁となる縁段側壁（７ｂ）を有する合成樹脂成形品（１）を形成する一次成形工程と、
該縁段溝部（７ａ）に、二色目となる別の樹脂を供給させ一体連結させる二次成形工程
とを有することを特徴とする合成樹脂成形品の製造方法。
【発明の詳細な説明】
【技術分野】
【０００１】
本発明は、ヒンジを有する合成樹脂成形品及びその成形方法に関し、特には、二色成形時に一体連結部のヒンジ付近から樹脂漏れが生じ難い合成樹脂成形品及びその成形方法に関する。
【背景技術】
【０００２】
従来より、内容液がシャンプー、リンス又は液体調味料等の注出容器では、容器本体の口筒部に注出口付きの注出キャップを嵌合し、容器本体を両側から押し込みながら傾けることによって、この注出口から内容物を注出するようにしている。この種の注出キャップでは、キャップ本体と蓋体が同時に一体成形されているため同色であることが普通である。また、キャップ本体と蓋体との両者を別色で形成させ美感を向上させることも提案されている（例えば、特許文献１）。
【０００３】
特許文献１では、キャップ本体と蓋体とを別々の形成品を係合させ一体物としているが、気密性や嵌合強度の観点からは一体成形品であることが好ましい。キャップ本体と蓋体とが一体成形品でありながら両者を別色で形成させるには二色成形を行う必要があるが、一次成形品であるキャップ本体に蓋体を一体連結させる二次成形を行った際、図７に示されるようにキャップ本体１２と上蓋１５の連結部となるヒンジ１６付近において、キャップ本体と金型に僅かに隙間が発生し、この隙間への樹脂漏れ１１により製品不良や外観不良が生じることがあった。
【先行技術文献】
【特許文献】
【０００４】
【特許文献１】特開平９−３０１４０２号公報
【発明の概要】
【発明が解決しようとする課題】
【０００５】
本発明は、このような事情に鑑みてなされたものであり、その目的は、二色成形時に一体連結部のヒンジ付近での樹脂漏れが生じ難い合成樹脂成形品及びその成形方法を提供することである。
【課題を解決するための手段】
【０００６】
上記課題の解決手段として、本発明に係る発明は、
部材本体と頂壁とを有する一次成形の合成樹脂成形品であって、
頂壁の外端縁の少なくとも一部に凹んだ縁段部が形成されており、
この縁段部は、内側に溝部である縁段溝部と、外側に側壁となる縁段側壁を有することを特徴とする。
【０００７】
この構成によって、二次成形時に縁段部の内側溝部である縁段溝部に溶融状態の合成樹脂材料が入り込み充填し易くなり、外側の縁段側壁を確実に金型に押しつけることが可能となり、縁段側壁が金型と密着し、隙間からの樹脂漏れを防止することができる。
【０００８】
また、本発明に係る別の一次成形の合成樹脂成形品において、縁段部は、更に、中央部に縁段中央部を有し、該縁段中央部の両端部内側には凹んだ縁段中央凹部を有するものである。
【０００９】
上記構造では、縁段中央部の形成によって二次成形時にまくれ等の異常変形を起こして気密性や嵌合強度の低下を防止することができ、また、縁段中央凹部に溶融状態の合成樹脂材料が入り込み易くなり、縁段中央部を金型に押しつける応力が作用する。
【００１０】
また、本発明に係る二次成形の合成樹脂成形品において、
部材本体と頂壁とを有する一次成形の合成樹脂成形品と、
閉状態にて頂壁を閉塞する上蓋と、
上蓋を部材本体に対して開閉回動自在に連結するヒンジと、
を有する二次成形の合成樹脂成形品において、
ヒンジの端部が、頂壁の外端縁の少なくとも一部に凹んだ縁段部の内側溝部である縁段溝部にて一体連結し、
部材本体及び上蓋がヒンジを介した一体成形物であることを特徴とする。
【００１１】
この構成によって、ヒンジの端部を形成する溶融状態の合成樹脂材料が縁段部の内側溝部である縁段溝部に入り充填され、保圧圧力によって溶融状態の合成樹脂材料が外側の縁段側壁を金型に押しつける応力が作用し、縁段側壁は金型と密着するようになる。この金型との密着によって、ヒンジ付近での樹脂漏れを防止することが可能となる。
【００１２】
また、本発明に係る別の二次成形の合成樹脂成形品において、ヒンジの端部は、更に、縁段部の中央部である縁段中央部の両端部内側の縁段中央凹部でも一体連結しているものである。
【００１３】
上記構造では、縁段中央凹部によって溶融状態の合成樹脂材料が入り充填され、保圧時に縁段中央部を金型に押しつける応力が作用し、金型との密着性が高まりヒンジ付近での樹脂漏れを防止することができる。
【００１４】
また、本発明に係る別の二次成形の合成樹脂成形品において、部材本体と上蓋とを二色成形にて形成してなるものである。
【００１５】
上記構造では、部材本体と上蓋の色彩が異なるため、成形品としての審美性の向上や上蓋の識別性を高めることができる。
【００１６】
また、本発明に係る合成樹脂成形品の製造方法において、
部材本体と頂壁とを有する一次成形品となる合成樹脂成形品と、
閉状態にて頂壁を閉塞する上蓋と、
上蓋を部材本体に対して開閉回動自在に連結するヒンジと、
を有する合成樹脂成形品の製造方法において、
頂壁の外端縁に少なくとも一部に凹んだ縁段部と、この縁段部の内側に溝部となる縁段溝部と、外側に側壁となる縁段側壁を有する合成樹脂成形品を形成する一次成形工程と、
この縁段溝部に、二色目となる別の樹脂を供給させ一体連結させる二次成形工程とを有することを特徴とする。
【００１７】
この構成によって、二次成形時の保圧圧力が溶融状態の合成樹脂材料を介した外側の縁段側壁を金型に押しつける応力として作用し、縁段側壁は金型と密着するようになり、ヒンジ付近での樹脂漏れを防止する製造方法を提供することができる。
【発明の効果】
【００１８】
本発明の主たる構成においては、二次成形時にヒンジの端部を形成する溶融状態の合成樹脂材料が縁段部の内側溝部である縁段溝部に入り充填され、保圧圧力によって溶融状態の合成樹脂材料が外側の縁段側壁を金型に押しつける応力が作用し、縁段側壁は金型と密着するようになる。この金型との密着によって、ヒンジ付近での樹脂漏れ防止を達成できる。
【００１９】
縁段部の中央部に縁段中央部を有し、この縁段中央部の両端部内側には凹んだ縁段中央凹部を有するものにあっては、縁段中央部の形成によって二次成形時にまくれ等の異常変形を起こして気密性や嵌合強度の低下を防止することができ、また、縁段中央凹部によって溶融状態の合成樹脂材料が入り込み充填し易くなり、保圧圧力による縁段中央部を金型に押しつける応力が作用し、金型との密着性が高まりヒンジ付近での樹脂漏れ防止が可能となる。
【００２０】
部材本体と上蓋とを二色成形にて形成しているものにあっては、部材本体と上蓋の色彩が異なり、成形品としての審美性の向上や上蓋の識別性を高めることが達成できる。
【図面の簡単な説明】
【００２１】
【図１】本発明による合成樹脂成形体のキャップを示す平面図である。
【図２】本発明による合成樹脂成形体のヒンジキャップを示す平面図である。
【図３】図２のヒンジキャップの縦断面図である。
【図４】（ａ）は合成樹脂成形品のキャップにおける縁段部を拡大して部分的に示す平面図であり、（ｂ）は（ａ）中のＡ−Ａ線に沿って示した縦断面図である。
【図５】本発明による合成樹脂成形体の化粧料用容器を示す平面図である。
【図６】図５の化粧料用容器の縦断面図である。
【図７】従来のヒンジキャップを二色成形した際に発生するヒンジ付近の樹脂漏れを示す説明図である。
【発明を実施するための形態】
【００２２】
以下、本発明にかかる実施の形態について図面を参照しつつ説明する。
【００２３】
図１は本発明による合成樹脂成形品のキャップを示す平面図であり、図２はヒンジキャップを示す平面図であり、図３はヒンジキャップの縦断面図である。図４（ａ）は合成樹脂成形品のキャップにおける縁段部を拡大して部分的に示す平面図であり、図４（ｂ）は図４（ａ）中のＡ−Ａ線に沿って示した縦断面図である。また、図５はヒンジを有する化粧料用容器の平面図であり、図６は化粧料用容器の縦断面図である。
【００２４】
図１は一次成形品である合成樹脂成形品１の円形状のキャップであり、図２及び３は二次成形によって一体連結した合成樹脂成形品８の円形状のヒンジキャップである。合成樹脂成形品１のキャップは、頂壁３に注出口４を構成するノズル４ａを立設し、容器本体１０の口筒部１０ａに密に外装螺合して組付く部材本体２からなるものであり、頂壁３の外端縁の少なくとも一部には凹んだ縁段部７が形成されており、この縁段部７は、内側に溝部である縁段溝部７ａと、外側に側壁となる縁段側壁７ｂが形成されている。そして、縁段部７は、図４に示される様に中央部に縁段中央部７ｃを有し、この縁段中央部７ｃの両端部内側には凹んだ縁段中央凹部７ｄを有する。
【００２５】
得られた一次成形品である部材本体２に、閉状態でノズル４ａ内に挿入されて注出口４を閉塞する閉塞体５ａが突設された上蓋５と、この上蓋５を部材本体２に対して開閉回動自在に連結するヒンジ６と、を二次成形によって一体連結した合成樹脂成形品８が形成される。このような合成樹脂成形品８である一体成形物のヒンジキャップは、例えば、破線で示される内容物を充填した合成樹脂製の容器本体１０の口筒部１０ａに取り付けて使用される。
【００２６】
部材本体２は、容器本体１０の口筒部１０ａに外装螺合する有頂円筒形状の頂壁３上面のやや前寄りの位置（図２では、ヒンジ６とは逆側の左寄りの位置）に注出口４が設けられている。
【００２７】
ノズル４ａの内側には、高さ方向に貫通する注出路４ｂが形成されている。この注出路４ｂの内周面は、上方に拡径したテーパー面となっていて、開閉回動動作時における上蓋５の閉塞体５ａのノズル４ａに対する挿入及び離脱動作が円滑に達成されるようにしている。
【００２８】
上蓋５は、ヒンジ６を介して頂壁３の外端縁の少なくとも一部に凹んだ縁段部７で一体連結されている。深皿状の上蓋５の内面５Ａで、且つ閉状態でノズル４ａに対向する位置には、細円筒片からなる閉塞体５ａが突設されている。この閉塞体５ａの長さ寸法は、注出路４ｂよりも若干長く、上蓋５の閉状態で、ノズル４ａの深部まで進入できる寸法で形成されている。
【００２９】
本発明においては、部材本体と上蓋を別色とし審美性の向上や上蓋の識別性を高めるために、部材本体２と上蓋５を二色成形により色彩を異ならせている。成形時には、一色目と二色目の合成樹脂材料は同じ種類のものであっても異なる種類であっても構わない。なお、本発明においては同じ種類の合成樹脂材料であっても、着色剤等が含有されるため一色目と二色目は別の樹脂として区別している。
【００３０】
次に、上記の一体連結した二色成形の合成樹脂成形品８のヒンジキャップの製造方法について説明する。
初めに一次形成工程として、部材本体２と頂壁３とを有する一次成形の合成樹脂成形品１のキャップが、溶融状態の合成樹脂材料を不図示の所定の成形金型内に注入して射出成形し、その後に離型することにより形成される。頂壁３には注出口４を構成するノズル４ａを立設し、頂壁３の下方には容器本体１０の口筒部１０ａに密に外装螺合して組付く部材本体２が形成されている。この頂壁３の外端縁の少なくとも一部には凹んだ縁段部７が形成されており、この縁段部７は、内側に溝部である縁段溝部７ａと、外側に側壁となる縁段側壁７ｂが形成されている。
【００３１】
続いて二次形成工程として、得られた一次成形の合成樹脂成形品１を不図示の所定の成形金型内に設置し、一次成形で用いた樹脂とは異なる二色目となる別の樹脂を供給する二次成形によって、閉状態でノズル４ａ内に挿入されて注出口４を閉塞する閉塞体５ａが突設された上蓋５と、この上蓋５を部材本体２に対して開閉回動自在に連結するヒンジ６と、を一体連結した合成樹脂成形品８を形成する。この二次成形際に、ヒンジ６の端部が、縁段部７の内側溝部である縁段溝部７ａにて一体連結するようにすることが重要である。ここで、縁段溝部７ａに溶融状態の合成樹脂材料が入り込み縁段溝部７ａを十分充填し、その後の保圧圧力によって溶融状態の合成樹脂材料が外側の縁段側壁７ｂを金型に押しつける応力を作用させ、縁段側壁７ｂは金型と密着するようになる。この金型との密着によって、ヒンジ付近での樹脂漏れを防止することが可能となる。
【００３２】
また、縁段部７は、成形時にまくれ等の異常変形を起こして気密性や嵌合強度が低下しないように中央部に縁段中央部７ｃを形成してもよい。この縁段中央部７ｃを設けたことにより縁段溝部７ａが右側と左側に分けられ、縁段中央部７ｃ付近では金型に押しつける応力が低下する。保圧時の押しつけ応力の低下による樹脂漏れを防止のため、縁段中央部７ｃの両端部内側に凹んだ縁段中央凹部７ｄを設け、溶融状態の合成樹脂材料が縁段中央凹部７ｄに入り込み十分充填されるようにし、保圧圧力による縁段中央部７ｃを金型に押しつける応力を作用させても構わない。縁段中央凹部７ｄの合成樹脂材料が入り込むことによって、金型と密着するようになり、ヒンジ付近での樹脂漏れを防止することが可能となる。更に、縁段部７の両端部内側にも凹部を形成しても構わない。
【００３３】
ここまでヒンジを有するものとしてヒンジキャップの実施形態を説明したが、別の実施形態として図５及び図６に示される様に、ヒンジを円形状の化粧料用容器に適用することも可能である。ここでも、部材本体２と上蓋５を二色成形により色彩を異ならせることにより審美性を向上させることができる。
【００３４】
以上、実施例に沿って本発明の構成とその作用効果について説明したが、本発明の実施の形態は上記実施例に限定されるものではない。
【００３５】
また、上記実施の形態では、一次成形工程と二次成形工程を別々の金型で成形、つまり一次成形にて部材本体２を成形し、その後冷却させて別の金型にて上蓋５及びヒンジ６を二次成形にて一体連結させているが、一次成形工程及び二次成形工程を一つの金型内にて完結させるように部材本体２を一次成形させ、続いて上蓋５及びヒンジ６を二次成形にて一体連結させても構わない。
【００３６】
更に、上記実施の形態では、円形状のヒンジキャップや化粧料用容器を説明したが適応できる製品形状はこれに限定されるものではなく、矩形や正方形の四角形状又は多角形状等とすることが可能である。
【産業上の利用可能性】
【００３７】
以上説明したように、二色成形時に樹脂漏れが発生しないヒンジを提供するものであり、特に開閉回動自在に連結するヒンジを用いた注出キャップ分野や化粧料用容器分野で幅広い用途展開が期待される。
【符号の説明】
【００３８】
１    ；合成樹脂成形品（一次成形品）
２    ；部材本体
３    ；頂壁
４    ；注出口
４ａ  ；ノズル
４ｂ  ；注出路
５    ；上蓋
５Ａ  ；上蓋の内面
５ａ  ；閉塞体
６    ；ヒンジ
７    ；縁段部
７ａ  ；縁段溝部
７ｂ  ；縁段側壁
７ｃ  ；縁段中央部
７ｄ  ；縁段中央凹部
８    ；合成樹脂成形品（二次成形品）
１０  ；容器本体
１０ａ；口筒部
１１  ；樹脂漏れ
１２  ；キャップ本体
１５  ；上蓋
１６  ；ヒンジ
【図１】
2015193166.tif 000003
【図２】
2015193166.tif 000004
【図３】
2015193166.tif 000005
【図４】
2015193166.tif 000006
【図５】
2015193166.tif 000007
【図６】
2015193166.tif 000008
【図７】
2015193166.tif 000009